(57)【要約】【課題】虫の侵入が抑制された照明器具を提供する。【解決手段】本発明に係る照明器具１は、光源部１０と、開口部２０１を有し、基底部２００ａに光源部１０を有する有底筒状の器具本体２０と、第１開口端部３０１と第２開口端部３０２とを有し、内径および外径が第１開口端部３０１から第２開口端部３０２に向けて大きくなる筒形状であって、第１開口端部３０１の外径は開口部２０１の内径よりも小さく、第１開口端部３０１は、器具本体２０の内側に配置され、反射部材３０と、第２開口端部３０２を塞ぐ透光部材４０と、環状部５１を有し、器具本体２０と、反射部材３０との間を環状部５１で塞ぐシール部材５０と、を備える。【選択図】図１
2017162695.tif 000002
【特許請求の範囲】
【請求項１】
光源部と、
開口部を有し、基底部に前記光源部を有する有底筒状の器具本体と、
第１開口端部と第２開口端部とを有し、内径および外径が前記第１開口端部から前記第２開口端部に向けて大きくなる筒形状であって、前記第１開口端部の外径は前記開口部の内径よりも小さく、前記第１開口端部は、前記器具本体の内側に配置され、反射部材と、
前記第２開口端部を塞ぐ透光部材と、
環状部を有し、前記器具本体と、前記反射部材との間を前記環状部で塞ぐシール部材と、
を備える照明器具。
【請求項２】
前記シール部材の前記環状部の内周縁は、前記反射部材の外周縁に接し、
前記器具本体の前記開口部の端部は、前記シール部材の前記環状部の外周縁に接している
請求項１に記載の照明器具。
【請求項３】
前記シール部材は、前記環状部から立設する複数の舌片部とを有する
請求項１又は２に記載の照明器具。
【請求項４】
前記反射部材の側部は、前記第２開口端部に前記透光部材を係止する係止部を有し、
前記透光部材は、前記反射部材に係止される被係止部を有し、
前記複数の舌片部の少なくとも１つは、前記係止部を塞ぐ第１舌片部である
請求項３に記載の照明器具。
【請求項５】
前記第１舌片部は、前記係止部と前記被係止部との隙間を塞ぐ突起部を有する
請求項４に記載の照明器具。
【請求項６】
前記器具本体の外に配置される電源部と、
前記電源部と前記光源部とを電気的に接続する電力線とを、さらに備え、
前記器具本体は、側部に前記電力線が通る引出口を有し、
前記複数の舌片部の少なくとも１つは、前記引出口を塞ぐ第２舌片部である
請求項３〜５のいずれか１項に記載の照明器具。
【請求項７】
前記第１舌片部と前記第２舌片部とは、互いに前記環状部を介して反対方向に立設する請求項６に記載の照明器具。
【請求項８】
前記透光部材から出射された光の少なくとも一部を反射する筒形状の補助反射部材を、さらに備え、
前記補助反射部材の一端は、前記器具本体の前記開口部に固定される
請求項１〜７のいずれか１項に記載の照明器具。
【請求項９】
前記補助反射部材の前記一端は、前記補助反射部材の内方向に延出する内鍔部を有し、
前記シール部材の前記環状部の前記外周縁が、前記内鍔部と前記器具本体の前記開口部の端部に挟まれている
請求項８に記載の照明器具。
【請求項１０】
前記透光部材は、レンズを有する
請求項１〜９のいずれか一項に記載の照明器具。
【請求項１１】
前記シール部材は、弾性を有する弾性部材である
請求項１〜１０のいずれか一項に記載の照明器具。
【発明の詳細な説明】
【技術分野】
【０００１】
本発明は、照明器具に関する。
【背景技術】
【０００２】
従来、照明器具として、例えばダウンライトのように下方に光を照射する照明器具が知られている（例えば、特許文献１）。
【０００３】
この種の照明器具は、器具本体に固定された光源部と、器具本体の外部に設置され、光源部を点灯させるための電源部と、光源部と電源部とを電気的に接続するための電力線とを備えている。
【０００４】
特許文献１に開示された照明器具は、ＬＥＤ（Ｌｉｇｈｔ  Ｅｍｉｔｔｉｎｇ  Ｄｉｏｄｅ）からなる光源と、光源から出射された光を内面の反射面で所定の方向へ反射させて出射する反射部材と、光源および反射部材を支持する器具本体を備える。さらに、反射部材は、係止爪を有し、出射口を塞ぐように透光性材料で形成されたレンズ部材を係止爪によって係止することにより固定する。このような構成にすることにより、光源を器具本体と反射部材とレンズ部材で囲むように配置することが容易になる。
【先行技術文献】
【特許文献】
【０００５】
【特許文献１】特開２０１５−０８８３４９号公報
【発明の概要】
【発明が解決しようとする課題】
【０００６】
しかしながら、反射部材と器具本体の間や、反射部材とレンズ部材とを固定する係止爪の部分などに隙間が生じるその隙間から発光素子周辺に虫が侵入する場合がある。さらに、電力線を器具本体に引き込む部分に隙間が発生し、そこからも虫が侵入する場合がある。
【０００７】
本発明は、このような課題を解決するためにされたものであり、光源周辺に虫が侵入することを抑制できる照明器具を提供することを目的とする。
【課題を解決するための手段】
【０００８】
上記目的を達成するために、本発明に係る発光装置の一態様は、光源部と、開口部を有し、基底部に前記光源部を有する有底筒状の器具本体と、第１開口端部と第２開口端部とを有し、内径および外径が前記第１開口端から前記第２開口端に向けて大きくなる筒形状であって、前記第１開口端部の外径は前記開口部の内径よりも小さく、前記第１開口端部は、前記器具本体の内側に配置され、反射部材と、前記第２開口端部を塞ぐ透光部材と、環状部を有し、前記器具本体と、前記反射部材との間を前記環状部で塞ぐシール部材と、を備えることを特徴とする。
【発明の効果】
【０００９】
本発明によれば、光源周辺に虫が侵入することを抑制できる照明器具を提供することができる。
【図面の簡単な説明】
【００１０】
【図１】図１は、本発明の実施の形態に係る照明器具の外観斜視図である。
【図２】図２は、本発明の実施の形態に係る照明器具の分解斜視図である。
【図３】図３は、本発明の実施の形態に係る照明器具の断面図である。
【図４】図４は、本発明の実施の形態に係る照明器具の要部の斜視図である。
【図５】図５は、本発明の実施の形態に係る照明器具の要部の斜視図である。
【図６】図６は、本発明の実施の形態に係る照明器具の要部の斜視図である。
【図７】図７（ａ）は、比較例に係る照明器具の断面図である。図７（ｂ）は、比較例に係る照明器具の要部の斜視図である。
【図８】図８は、比較例に係る照明器具の要部の斜視図である。
【発明を実施するための形態】
【００１１】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態、並びに、ステップ（工程）及びステップの順序などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
（実施の形態）
まず、本発明の実施の形態に係る照明器具１の構成について、図１〜６を用いて説明する。なお、各図において、光軸Ｊに平行な方向をＺ軸方向、光軸Ｊに垂直で互いに直交する２つの方向をＸ軸方向及びＹ軸方向としている。本実施の形態において、Ｚ軸方向は、鉛直方向である。
【００１４】
照明器具１は、光源部１０と、器具本体２０と、反射部材３０と、透光部材４０と、シール部材５０とを備える。照明器具１は、さらに、電源部６０と、電力線７０と、補助反射部材８０とを備える。以下、照明器具１の各構成要素について説明する。
【００１５】
［光源部］
光源部１０は、照明器具１の光源である。本実施の形態において、光源部１０は、ＬＥＤを有する発光モジュールである。光源部１０は、例えば、白色光を放出する。
【００１６】
図２に示すように、光源部１０は、ＣＯＢ（Ｃｈｉｐ  Ｏｎ  Ｂｏａｒｄ）構造であり、基板１００と、発光部１０１とから構成されている。
【００１７】
基板１００は、複数のＬＥＤを実装するための実装基板であって、例えば、セラミックス基板、樹脂基板又は絶縁被覆されたメタルベース基板等である。なお、基板１００には、ＬＥＤを発光させるための直流電流を外部から受電するための一対の電極端子（正電極端子と負電極端子）が形成されている。
【００１８】
発光部１０１は、基板１００に実装された複数のＬＥＤと、複数のＬＥＤを封止する封止部材とからなる。ＬＥＤは、本実施の形態では、青色光を発するベアチップである。なお、ＬＥＤは基板１００上に少なくとも１つ配置されていればよい。
【００１９】
封止部材としては、例えば、透光性樹脂が用いられる。本実施の形態における封止部材は、ＬＥＤからの光を波長変換する波長変換材として蛍光体を含んでいる。
【００２０】
本実施の形態では、光源部１０からは、発光部１０１のＬＥＤから発せられた光（青色光）と、その光により励起された蛍光体から発せられた蛍光（黄色光）が合成された光（白色光）が放射される。
【００２１】
なお、本実施の形態では、封止部材は全てのＬＥＤを一括に封止しているがこれに限らない。例えば、複数のＬＥＤを列ごとにライン状に封止してもよいし、各ＬＥＤをそれぞれ１つずつ個別に封止してもよい。
【００２２】
［器具本体］
器具本体２０は、有底筒状の照明器具１の本体である。本実施の形態では、器具本体２０は、放熱フィン２０２を有する基底部２００ａ及び引出口２００ｃと開口部２０１とを有する筒状部２００ｂを備える。
【００２３】
基底部２００ａは、光源部１０が取付けられる台状の部分である。筒状部２００ｂは、基底部２００ａの周縁から立設した筒状の部分であり、光源部１０を囲む。
【００２４】
開口部２０１は、筒状部２００ｂのうち基底部２００ａとは反対方向の開放端を外縁として囲まれている。
【００２５】
引出口２００ｃは、筒状部２００ｂに貫通した部分であり、光源部１０への電力を供給するための電力線７０を器具本体２０に引き込むために設けられている。本実施の形態においては、引出口２００ｃは開口部２０１から筒状部２００ｂの途中までを切り欠くように形成されている。
【００２６】
複数の放熱フィン２０２は、光源部１０で発生する熱を放熱する部分である。放熱フィン２０２は、例えば板状であり、基底部２００ａの筒状部２００ｂが立設された面とは反対側の裏面に立設されている。
【００２７】
器具本体２０は、金属材料等の熱伝導率の高い材料によって構成されているとよい。器具本体２０は、例えば、アルミダイカスト製である。
【００２８】
［取付部材］
取付部材２１は、光源部１０を器具本体２０に取付けるための部材である。取付部材２１は、規制部２１０及び取付係止部２１１を備える。
【００２９】
規制部２１０は、光源部１０の光軸Ｊに垂直な方向（Ｘ軸方向及びＹ軸方向）の位置を規制する。規制部２１０は、中央に開口部２１２を有する矩形枠状の形状を有する。規制部２１０の中央に形成された開口部２１２は、光源部１０に対応する形状を有し、開口部２１２に光源部１０が配置される。取付部材２１は、器具本体２０の基底部２００ａに配置され、接続部材２２及びねじ２３によって、器具本体２０に固定される。
【００３０】
取付係止部２１１は、反射部材３０を支持する部分であり、反射部材３０の取付被係止部３０４を係止する。本実施の形態では、取付部材２１は、２つの取付係止部２１１を備える。取付係止部２１１は、略Ｌ字型の形状を有しており、取付係止部２１１の端部に設けられて光軸Ｊから離れる方向に突出した突起が、取付被係止部３０４に挿入されることによって、取付係止部２１１は取付被係止部３０４を係止する。
【００３１】
取付部材２１は、例えば、ポリブチレンテレフタレート（ＰＢＴ）、ポリカーボネート（ＰＣ）などの樹脂材料を用いて形成することができる。
【００３２】
［反射部材］
図３に示すように、反射部材３０は、光源部１０から発せられた光を透光部材４０に向けて反射させる。反射部材３０は、第１開口端部３０１、第２開口端部３０２、反射壁３０３及び立設部３０５を有し、内径および外径が第１開口端部３０１から第２開口端部３０２に向けて大きくなる筒形状である。
【００３３】
第１開口端部３０１は、光源部１０から発せられた光が反射部材３０に入射する側の端部である。第１開口端部３０１の外径は、器具本体２０の開口部２０１の内径よりも小さい。第１開口端部３０１は、器具本体２０の内側に配置される。
【００３４】
第２開口端部３０２は第１開口端部３０１から入射した光が透光部材４０に向けて出射する側の端部である。第２開口端部３０２の内径及び外径は、それぞれ、第１開口端部３０１の内径及び外径よりも大きい。
【００３５】
反射壁３０３は、両端に第１開口端部３０１と第２開口端部３０２とを有し、第１開口端部３０１から第２開口端部３０２に向かって内径が漸次大きくなるように構成されている。反射壁３０３の内面において、光源部１０から発せられた光の少なくとも一部が反射される。
【００３６】
立設部３０５は、反射壁３０３の光源部１０側に配置され、略光軸Ｊ方向（Ｚ軸方向）に立設されている。立設部３０５は、取付係止部２１１に係止される取付被係止部３０４が設けられている。本実施の形態においては、取付被係止部３０４は、立設部３０５に設けられた貫通孔である。
【００３７】
反射部材３０の側部は、第２開口端部３０２に透光部材４０を係止する係止部３０６を有している。本実施の形態では、反射部材３０は、２つの係止部３０６を備える。係止部３０６は、例えば、第２開口端部３０２から矩形状に切欠きされたかれた形状の切欠部３０７と、切欠部３０７の略中心位置に反射部材３０から延出した略Ｌ字型の形状の引掛部３０８とからなる。引掛部３０８の端部に設けられて光軸Ｊに近づく方向に突出した突起が、被係止部４２の被引掛部４２２に引掛けられることによって、係止部３０６がは被係止部４２を係止する。係止部３０６は、切欠部３０７において、虫が侵入可能な隙間を有する。
【００３８】
反射部材３０は、例えばＰＢＴ、ポリカーボネートなどの白色樹脂材料を用いて形成することができる。
【００３９】
［透光部材］
透光部材４０は、パネル４１と被係止部４２とを有し、光源部１０から出射された光が入射する透光性の部材である。透光部材４０は、光源部１０を覆うように配置される。具体的には、透光部材４０は、反射部材３０の第２開口端部３０２を塞ぐように設けられている。
【００４０】
パネル４１は、例えば、透光性を有する材料によって形成されている。具体的には、パネル４１は、ポリメタクリルサンメチル（ＰＭＭＡ）などのアクリル系樹脂や、ＰＣ等の透明樹脂材料又はガラス材料によって形成することができる。パネル４１の厚みは、例えば略一定であるが、これに限らない。
【００４１】
被係止部４２は、パネル４１の光源部１０側に配置され、透光部材立設部４２１と被引掛部４２２とからなる。透光部材立設部４２１は、略光軸Ｊ方向（Ｚ軸方向）に立設され
ている。透光部材立設部４２１には、引掛部３０８により引掛けられる被引掛部４２２が設けられている。本実施の形態においては、被引掛部４２２は、透光部材立設部４２１の光源部１０側端部に光軸Ｊから遠ざかる方向に立設した凸部である。このような構成にすることにより、係止部３０６が被係止部４２を係止する。なお、係止部３０６に係止される被係止部４２の周辺においては、反射部材３０と透光部材４０との間に虫が侵入することが可能な隙間が発生する。
【００４２】
なお、パネル４１は、平板状の平面パネルであってもよいし、前方に向かって突出するように湾曲したドーム状であってもよい。また、パネル４１は、フレネルレンズ等のレンズを有することにより配光制御機能を有していてもよい。また、パネル４１の少なくとも一部に、ディンプル等を形成することによって光拡散性を有していてもよい。このような構成にすることにより、照明器具１から出射される光の照度ムラや色ムラを抑制することができる。
【００４３】
［電源部］
図１に示されている電源部６０は、光源部１０を点灯させるための電源装置である。例えば、電源部６０は、光源部１０を発光させるための電力を生成する電源回路によって構成されている。具体的には、電源部６０は、商用電源等の外部電源からの交流電力を所定レベルの直流電力に変換する。電源部６０で生成された直流電力は、電力線７０を介して光源部１０に供給される。
【００４４】
本実施の形態では、電源部６０は、器具本体２０の外部に設置される。例えば、電源部６０は、金属製又は樹脂製のケースに収納された電源ボックスとして天井裏に配置される。
【００４５】
［電力線］
図１及び図６に示すように、電力線７０は、電源部６０と光源部１０とを電気的に接続するための導電線である。電力線７０の一端は、器具本体２０に固定された光源部１０に電気的に接続されており、電力線７０の他端は、器具本体２０から引出口２００ｃを介して引き出され、電源部６０と電気的に接続される。
【００４６】
本実施の形態において、電力線７０は、一対設けられている。一対の電力線７０の一方は、高電位側の第１電力線であり、一対の電力線７０の他方は、低電位側の第２電力線である。一対の電力線の各々は、例えば、合金銅等の導電材料からなる芯材と、当該芯材を被覆する絶縁性の樹脂被膜によって構成されたリード線である。さらに、一対の電力線７０は、保護チューブで覆われている。保護チューブは、例えば、熱可塑性エラストマーやシリコン含浸ガラス編組チューブなど絶縁性のある材料によって形成されている。なお、保護チューブは、弾性変形するゴム製の絶縁材料で形成されていてもよい。
【００４７】
［補助反射部材］
図２及び図３に示すように、補助反射部材８０は、透光部材４０から出射される光が入射する入射開口部８１１、及び、入射開口部８１１から入射された光が出射する出射開口部８１２を有する筒状の部材である。補助反射部材８０は、補助反射壁８１０、枠体８２０および取り付けバネ８３０を備える。
【００４８】
補助反射壁８１０は、筒状の補助反射部材８０の内周面に配置された筒状の部材である。補助反射壁８１０は、内面に補助反射面８１３を有し、照明器具１の配光を制御する機能を有する。具体的には、透光部材４０から出射される光の少なくとも一部は、補助反射壁８１０によって反射されて出射開口部８１２から出射される。本実施の形態において補助反射壁８１０は、例えば、アルミニウムなどの薄い金属で形成されている。補助反射壁
８１０は、光軸Ｊ方向に沿って枠体８２０の内側に差し込まれる。補助反射壁８１０は、入射開口部８１１において枠体８２０とかしめることによって固定されている。
【００４９】
枠体８２０は、筒状の補助反射部材８０の本体部である。枠体８２０は、内鍔部８２１、側壁部８２２及び外鍔部８２３から構成されている。本実施の形態において、枠体８２０の側壁部８２２は、器具本体２０の筒状部２００ｂの開口部２０１における外径と同程度の内径を有し、光軸Ｊ方向に伸びる筒状の部材である。内鍔部８２１は、側壁部８２２のｚ軸方向正側端面から光軸Ｊに近づく方向に環状に延出している。内鍔部８２１には、ねじ穴（図示せず）が形成され、ねじ穴にねじ８３が捻じ込まれることにより、枠本８２０は、器具本体２０の開口部２０１に固定される。枠体８２０は、例えば、アルミニウムなどの金属で形成される。外鍔部８２３は、環形状であって、側壁部８２２のｚ軸方向負側端面から光軸Ｊから遠ざかる方向に突出するように枠体８２０に設けられている。
【００５０】
取り付けバネ８３０は、枠体８２０の外面に取り付られている。取り付けバネ８３０は、照明器具１を天井などの被取り付け部に取付けるための弾性部材であり、例えば、鉄等の金属材料からなる板バネ構造を有する。本実施の形態では、２つの取り付けバネ８３０が枠体本体８２０の外面に取り付けられている。なお、取り付けバネ８３０の個数は、２つに限るものではない。
【００５１】
［シール部材］
図２及び図３に示すように、本実施の形態において、シール部材５０は、環状部５１及び複数の舌片部５２から構成されている。シール部材５０は、器具本体２０と反射部材３０との間に設けられている。環状部５１は、器具本体２０と反射部材３０の間を塞いでいる。器具本体２０と反射部材３０との間を環状部５１が塞ぐことによって、光におびき寄せられて入ってきた虫が、反射部材３０から器具本体２０へ侵入することを防ぐことができる。さらに、複数の舌片部５２を有することで３次元的に分布している虫が侵入可能な複数の隙間を１つのシール部材５０で塞ぐことができる。
【００５２】
本実施の形態では、図３、図４、図６に示すように環状部５１の内周縁５１１は反射部材３０の外周縁に接し、環状部５１の外周縁５１２は器具本体２０の開口部２０１の端部と接している。さらに、環状部５１の内周縁５１１は反射部材３０の外周縁と全周に亘って接し、かつ、環状部５１の外周縁５１２は器具本体２０の開口部２０１と全周に亘って接していることが好ましい。このような構成にすることにより、虫の侵入をより効果的に防止することができる。
【００５３】
本実施の形態では、複数の舌片部５２の少なくとも１つは、反射部材３０の側部の係止部３０６を塞ぐ第１舌片部５２１である。図２及び図５に示すように第１舌片部５２１は、環状部５１の反射部材３０側の面から立設する。第１舌片部５２１は、例えば、反射部材３０の側部の外径にほぼ沿った形状であり、係止部３０６の切欠部３０７の外形と略同一の形状である。また、第１舌片部５２１は、係止部３０６よりも大きくしてもよい。このような構成にすることにより、係止部３０６から虫が侵入することを抑制することができる。
【００５４】
さらに、第１舌片部５２１は、係止部３０６と被係止部４２との隙間を塞ぐ突起部５２２を有することが好ましい。突起部５２２は、第１舌片部５２１から光軸Ｊに近づく方向に立設する。本実施の形態においては、第１舌片部５２１は、２つの突起部５２２を有する。突起部５２２は、切欠部３０７のうち引掛部３０８と、透光部材立設部４２１が存在しない空間の少なくとも一部を埋めることによって、より効果的に虫の侵入を抑制することができる。
【００５５】
また、本実施の形態では、複数の舌片部５２の少なくとも１つは、器具本体２０の引出口２００ｃを塞ぐ第２舌片部５２３である。図３〜６に示すように、第２舌片部５２３は、環状部５１の器具本体２０側の面から立設する。第２舌片部５２３は、例えば、器具本体２０の筒状部２００ｂの内径にほぼ沿った形状であり、器具本体２０の引出口２００ｃよりも一回り大きな略矩形型である。なお、第２舌片部５２３と筒状部２００ｂの間には電力線７０が通るように構成されている。このような構成にすることにより、引出口２００ｃから虫が侵入することを抑制することができる。
【００５６】
本実施の形態では、第１舌片部５２１と第２舌片部５２３とは、互いに環状部５１を介して反対側に立設している。さらに、第１舌片部５２１が立設されている環状部５１における位置は、第２舌片部５２３が立設されている環状部５１における位置よりも、光軸Ｊに近い。このような構成にすることにより、１つの平面的な板のみでは対応することが難しい３次元的に分布する複数の虫の侵入経路を１つの部材で塞ぐことが可能となり、より効果的に照明器具１の光源部１０付近に虫を侵入することを抑制することができる。
【００５７】
さらに本実施の形態では、シール部材５０の環状部５１の外周縁５１２が、補助反射部材８０の内鍔部８２１と、器具本体２０の開口部２０１の端部に挟まれている。このように構成することにより、シール部材５０が器具本体２０に固定されることで、シール部材と器具本体２０との間に虫が侵入することが可能な隙間が減少し、照明器具１の光源部１０付近への虫の侵入をより効果的に抑制することができる。
【００５８】
また、本実施の形態では、シール部材５０は、弾性を有する弾性部材であることが好ましい。具体的には、シール部材は、シリコンゴムなどによって形成することができる。シール部材５０の厚みは、例えば１ｍｍ程度で略一定であるが、これに限らない。このような構成にすることにより、シール部材５０がより器具本体２０および反射部材３０への密着性があがり、虫が侵入することが可能な隙間が減少することで虫の侵入をより効果的に抑制できる。
【００５９】
（比較例）
次に比較例について図７及び図８を用いて説明する。
【００６０】
本比較例における照明器具１Ａは、上記実施の形態に記載の照明器具１のうちシール部材５０を有しない以外は、同様の構成である。
【００６１】
図７（ａ）、（ｂ）に示すように、照明器具１Ａにおいては、係止部３０６に虫が侵入可能な空間がある。虫は、破線矢印で示される経路のように、光源部１０の光におびき寄せられて補助反射部材８０の出射開口部８１２から進入し、透光部材４０のパネル４１の外径と補助反射壁８１０の内径との隙間を通過した後に、係止部３０６の虫が侵入可能な隙間から反射部材３０と透光部材４０とで囲まれた空間に侵入する。
【００６２】
また、図７（ａ）に示すように、照明器具１Ａにおいては、器具本体２０及び取付部材２１と反射部材３０との間に虫が侵入可能な隙間がある。虫は、一点鎖線矢印で示される経路のように、光源部１０の光におびき寄せられて補助反射部材８０の出射開口部８１２から進入し、透光部材４０のパネル４１の外径と補助反射壁８１０の内径との隙間を通過した後に、器具本体２０及び取付部材２１と反射部材３０との間に生じる隙間から反射部材３０と透光部材４０とで囲まれた空間に侵入する。
【００６３】
さらに、図８に示すように、照明器具１Ａにおいては、器具本体２０の引出口２００ｃと電力線７０との間に虫が侵入可能な空間がある。虫は、二点鎖線矢印で示される経路のように、天井裏等から器具本体２０の引出口２００ｃと電力線７０との間の隙間を通って
侵入した後、図８に示す器具本体２０の引出口２００ｃと電力線７０との間に生じる隙間もしくは、図８に示す器具本体２０と取付部材２１と反射部材３０との間にある隙間から反射部材３０と透光部材４０とで囲まれた空間に侵入する。
【００６４】
上記のような経路で反射部材３０と透光部材４０とで囲まれた空間に侵入した虫は光源部１０周辺に集まった後、死骸となって透光部材４０のパネル４１上に付着する。虫の死骸が付着することで、光源部１０が点灯した際に、特に、照明器具１Ａの外観が損なわれる。
【００６５】
（評価）
上記の比較例において、照明器具１Ａ内の複数の隙間から虫が侵入することによって、照明器具１Ａの外観が損なわれる。
【００６６】
一方で、上記の実施の形態においては、上記の比較例のうち、図７（ａ）、（ｂ）に示す係止部３０６の隙間をシール部材５０の第１舌片部５２１によって塞ぐことにより、虫の侵入を抑制することができる。また、図７（ａ）に示す透光部材４０のパネル４１の外径と補助反射壁８１０の内径との隙間を通過した虫が、器具本体２０と取付部材２１と反射部材３０との間にある空間へ到達する経路をシール部材５０の環状部５１によって塞ぐことにより、虫の侵入を抑制することができる。さらに、図８に示す器具本体２０の引出口２００ｃと電力線７０との隙間を、シール部材５０の第２舌片部５２３によって塞ぐことにより、虫の侵入を抑制することができる。
【００６７】
本実施の形態において、照明器具１は、光源部１０と器具本体２０と反射部材３０と透光部材４０とシール部材５０とを有する。器具本体２０は、開口部２０１を有し、基底部２００ａに光源部１０を有する有底筒状である。反射部材３０は、第１開口端部３０１と第２開口端部３０２を有し、内径および外径が第１開口端部３０１から第２開口端部３０２に向けて大きくなる筒形状である。また、第１開口端部３０１の外径は、開口部２０１の内径よりも小さく、第１開口端部３０１は、器具本体２０の内側に配置され、光源部１０から発せられた光は、第１開口端部３０１から第２開口端部３０２の方向に向けて出射する。光源部１０から発せられた光の少なくとも一部を、反射部材３０が反射する。透光部材４０は、第２開口端部３０２を塞ぐ。器具本体２０と反射部材３０との間を環状部５１で塞ぐ。
【００６８】
このような構成にすることにより、器具本体２０と反射部材３０との間を環状部５１が塞ぐことによって、反射部材３０から光におびき寄せられて入ってきた虫を、器具本体２０へ侵入することを防ぐことができる。
【００６９】
また、本実施の形態において、シール部材５０は、環状部５１と、環状部５１から立設する複数の舌片部５２とを有する。
【００７０】
このような構成にすることにより、照明器具１の外部から光源部１０付近に虫が侵入する経路にシール部材５０の環状部５１と複数の舌片部５２とが位置する構造となるために、光源部１０周辺に虫が侵入することを抑制することができる。
【００７１】
また、本実施の形態において、反射部材３０の側部は、第２開口端部３０２に透光部材４０を係止する係止部３０６を有し、複数の舌片部５２の少なくとも１つは、係止部３０６を塞ぐ第１舌片部５２１であることが好ましい。
【００７２】
このような構成にすることにより、反射部材３０と透光部材４０との間に存在する係止部３０６近傍における隙間を第１舌片部５２１が塞ぐ構造となるために、光源部１０周辺
に虫が侵入することを抑制することができる。
【００７３】
さらに、本実施の形態において、照明器具１は、器具本体２０の外に配置される電源部６０と、電源部６０と光源部１０とを電気的に接続する電力線７０を備え、器具本体２０は、側部に電力線７０が通る引出口２００ｃを有していてもよい。このとき、複数の舌片部５２の少なくとも１つは、引出口２００ｃを塞ぐ第２舌片部５２３であることが好ましい。
【００７４】
このような構成にすることにより、引出口２００ｃと電力線７０との間の隙間を第２舌片部５２３で塞ぐ構造となるために、天井裏等から光源部１０周辺に虫が侵入することを抑制することができる。
【００７５】
さらに、本実施の形態において、照明器具１は、透光部材４０から出射された光の少なくとも一部を反射する筒形状の補助反射部材８０を備え、補助反射部材８０の一端は、器具本体２０の開口部２０１に固定されていることが好ましい。さらに、補助反射部材８０の一端は、補助反射部材８０の内方向に延出する内鍔部８２１を有し、シール部材５０の環状部５１の外周縁５１２が、内鍔部８２１と器具本体２０の開口部２０１の端部に挟まれていることがより好ましい。
【００７６】
このような構成にすることにより、シール部材５０が器具本体２０と補助反射部材８０の間で固定され、シール部材５０と器具本体２０との間に虫が侵入することが可能な隙間が減少することによって、照明器具１の光源部１０付近への虫の侵入をより効果的に抑制することができる。
【００７７】
（その他）
以上、本発明に係る発光装置について、実施の形態及び変形例に基づいて説明したが、本発明は、上記実施の形態に限定されるものではない。
【００７８】
例えば、上記実施の形態において、光源部１０はＣＯＢ型ＬＥＤを用いたが、他の発光素子を用いてもよい。例えば、ＳＭＤ（Ｓｕｒｆａｃｅ  Ｍｏｕｎｔ  Ｄｅｖｉｃｅ）型ＬＥＤを用いてもよい。また、有機ＥＬ（Ｅｌｅｃｔｒｏ  Ｌｕｍｉｎｅｓｃｅｎｃｅ）素子や半導体レーザなど他の固体発光素子、又は固体発光素子以外の光源を用いてもよい。
【００７９】
また、上記実施の形態において、光源部１０は青色ＬＥＤのベアチップを用いた白色光源を用いたが、光源部１０からの発光は、青色、緑色、赤色等の単色の可視光であってもよい。
【００８０】
また、上記実施の形態において、照明器具１は補助反射部材８０を備えていなくてもよい。シール部材５０と器具本体２０とは、ねじや接着剤等によって固定してもよい。
【００８１】
また、上記実施の形態において、第２舌片部５２３は、器具本体の筒状部２００ｂの外径に沿った形状をしていてもよい。
【００８２】
また、上記実施の形態において、シール部材５０は弾性部材でなくてもよい。例えば、シール部材５０を弾性のある熱硬化性樹脂もしくは、光硬化性樹脂等で作成して器具本体２０と反射部材３０の間に設置した後に、熱もしくは光によって硬化させる等の工程を経たような部材でもよい。硬化性樹脂としては、例えば、ラジカル重合をするアクリル系樹脂を用いることができる。また、弾性の小さい材料によって形成されていてもよい。
【００８３】
また、反射部材３０と透光部材４０とを係止する係止部は透光部材４０に形成され、反射部材３０と透光部材４０とを係止する被係止部は、反射部材３０に形成されていてもよい。この場合、第１舌片部は、透光部材４０に形成された係止部周辺の空間を塞ぐように構成すればよい。
【００８４】
その他、実施の形態に対して当業者が思いつく各種変形を施して得られる形態や、本発明の趣旨を逸脱しない範囲で実施の形態における構成要素及び機能を任意に組み合わせることで実現される形態も本発明に含まれる。
【符号の説明】
【００８５】
１  照明器具
１０  光源部
２０  器具本体
２００ａ  基底部
２００ｃ  引出口
２０１  開口部
３０  反射部材
３０１  第１開口端部
３０２  第２開口端部
３０６  係止部
４０  透光部材
４２  被係止部
５０  シール部材
５１  環状部
５１１  内周縁
５１２  外周縁
５２  舌片部
５２１  第１舌片部
５２２  突起部
５２３  第２舌片部
６０  電源部
７０  電力線
８０  補助反射部材
８２１  内鍔部
【図１】
2017162695.tif 000003
【図２】
2017162695.tif 000004
【図３】
2017162695.tif 000005
【図４】
2017162695.tif 000006
【図５】
2017162695.tif 000007
【図６】
2017162695.tif 000008
【図７】
2017162695.tif 000009
【図８】
2017162695.tif 000010